(57)【要約】【課題】水受け皿の凝縮水等が電源板に進入する危険性が無く、また、吸入グリルをはずすことなく電源板内の修理等が行える床置形空気調和機を提供する。【解決手段】本体２０の前面側に、吸入グリル３、吹出しグリル１、前面パネル２を有し、本体２０の外郭２０ａを、左右の側板５、６、後板８、天板４、底板１５、前板７で構成し、吸入グリル３と吹出しグリル１を連通する風回路２０ｂ内に、前面が前板７で覆われた室内熱交換器１４と、吸入グリル３より吸引し、室内熱交換器１４で熱交換された空気を吹出しグリル１から吹き出すファン１１と、室内熱交換器１４からの凝縮水を受ける水受け皿１６を備え、前板７と前面パネル２との間に、本体２０の運転を制御する電源板１３を設置して、電源板１３が風回路２０ｂの影響を受けないようにしたもので、風回路の性能が向上すると共に、水受け皿からの凝縮水が電源板１３内に入ることが無い。【選択図】図２
2010091119.tif 000002
【特許請求の範囲】
【請求項１】
本体の前面側に、吸入グリルと、吹出しグリルと、前面パネルを有し、前記本体の外郭を、左右の側板と、後板と、天板と、底板と、前板で構成し、前記吸入グリルと、前記吹出しグリルを連通する風回路内に、前面が前記前板で覆われた室内熱交換器と、前記吸入グリルより室内の空気を吸引し、前記室内熱交換器で熱交換された空気を前記吹出しグリルから吹き出すファンと、前記室内熱交換器からの凝縮水を受ける水受け皿を備えた床置型空気調和機において、前記前板と前記前面パネルとの間に、前記本体の運転を制御する電源板を設置して、前記電源板が前記風回路の影響を受けないようにしたことを特徴とする床置型空気調和機。
【請求項２】
前板の上部を、室内熱交換器と略平行となるように折り曲げて、前記室内熱交換器を通過した風を整流し、前記風が吹出しグリルより室内にスムーズに吹き出されるようにしたことを特徴とする床置型空気調和機。
【発明の詳細な説明】
【技術分野】
【０００１】
本発明は、床置型空気調和機に関し、特に本体風回路構成および電装部の収納設置構成に関するものである。
【背景技術】
【０００２】
従来、この種の床置型空気調和機の風回路構成については、特許文献１に記載されたものが知られている。
【０００３】
以下、その風回路構成について図３及び図４を参照しながら説明する。
【０００４】
図３は、上記特許文献１に記載された従来の床置型空気調和機の本体の分解斜視図、図４は、同床置型空気調和機の本体の断面図である。
【０００５】
図３、図４において、本体１００の前面部には、上部より吹出しグリル１０１、中部の前面パネル１０２、下部の吸入グリル１０３が設けられており、下部の吸入グリル１０３より吸込んだ空気を、後述の室内熱交換器１１４を通した後、上部の吹出しグリル１０１より室内に吹出す構成となっている。又、本体１００の外郭１００ａは、側板１０４、１０５、天板１０６、底板１０７、後板１０８で構成されている。
【０００６】
前記外郭１００ａの内部には、風回路構成部品であるエアガイダー１０９と、モーター１１０と、ファン１１１が設置されている。エアガイダー１０９の上部には、室内熱交換器１１４が高さが最大になるように斜めに設置されており、室内熱交換器１１４の下部に水受け皿１１５が設置され、さらに前記エアガイダー１０９の前面上部に電源板１１３が設置され、この水受け皿１１５の下で、前記エアガイダー１０９と吸入グリル１０３の間に電源板１１３が設置された構成となっている。
【特許文献１】特開平６−１０１８６６号公報
【発明の開示】
【発明が解決しようとする課題】
【０００７】
しかしながら、上記従来の床置型空気調和機の構造では、以下のような課題を有していた。
【０００８】
本体１００の高さが決定されると、エアガイダー１０９の高さによって、投入できる室内熱交換器１１４の高さが決定されてしまうため、本体１００の性能を向上させるためには、本体１００のサイズを高くするか横幅を大きくせざるをえなかった。又室内風回路性能を決定する風回路構成が、エアガイダー１０９の前面上部に電源板１１３が配置されているため、吸入抵抗が大きく風回路の性能を十分に発揮する構成になっていない。このため風量を増加させて風回路性能を向上させるためには、モータ１１０の大型化が必要となり、コスト増加につながるとともに騒音の増加にもつながるといった課題があった。
【０００９】
又、電源板１１３が水受け皿１１５の下に配置されているため、水受け皿１１５から漏れたり、オーバーフローした凝縮水が下の電源板１１３内に浸入し、安全上の問題になる可能性もあった。
【００１０】
又従来の構造では、電源板１１３内の修理等の時は、吸入グリル１０３をはずす必要があり、ファン１１１が回転している場合は、作業者が危険に晒される、といった課題もあった。
【００１１】
本発明は、前記従来の課題を解決するもので、水受け皿の水等が電源板に進入する危険性が無く、また、吸入グリルをはずすことなく電源板内の修理等が行えると共に、風量低下、騒音増加がなく、さらに吹出し部での結露の発生がない、床置形空気調和機を提供することを目的とする。
【課題を解決するための手段】
【００１２】
前記従来の課題を解決するために本発明の床置型空気調和機は、本体の前面側に、吸入グリルと、吹出しグリルと、前面パネルを有し、前記本体の外郭を、左右の側板と、後板と、天板と、底板と、前板で構成し、前記吸入グリルと、前記吹出しグリルを連通する風回路内に、前面が前記前板で覆われた室内熱交換器と、前記吸入グリルより室内の空気を吸引し、前記室内熱交換器で熱交換された空気を前記吹出しグリルから吹き出すファンと、前記室内熱交換器からの凝縮水を受ける水受け皿を備えた床置型空気調和機において、前記前板と前記前面パネルとの間に、前記本体の運転を制御する電源板を設置して、前記電源板が前記風回路の影響を受けないようにしたもので、電源板が風回路の外に位置するので、風回路内で通風抵抗となっていた部分が無くなって、空気の流れがスムーズになり、風回路の性能を向上させると同時に、室内熱交換器から発生する凝縮水を受ける水受け皿から、凝縮水が漏れたりオーバーフローすることがあっても、その凝縮水が電源板内に入ることが無く、安全性も向上する。また、吸入グリルをはずすことなく電源板を引き出し修理等が行えるので、火災等とメンテナンス時の２重の安全性を向上させた床置形空気調和機を提供することができる。
【発明の効果】
【００１３】
本発明の床置形空気調和機は、従来、風回路の中に設置され風回路の吸入抵抗を増加させ性能向上の問題点となっていたエアガイダー前面上部に設置されていた電源板を前板と前面パネルの間に設置することで、電源板を完全に風回路の外に設置でき、吸入抵抗を減らし、均一な空気の吸い込み分布を実現できるため、風回路の性能を十二分に発揮できる。又水受け皿から漏れたり、オーバーフローした凝縮水が電源板内に浸入することがなくなるので、火災等につながる安全性が向上する。
【発明を実施するための最良の形態】
【００１４】
第１の発明は、本体の前面側に、吸入グリルと、吹出しグリルと、前面パネルを有し、前記本体の外郭を、左右の側板と、後板と、天板と、底板と、前板で構成し、前記吸入グリルと、前記吹出しグリルを連通する風回路内に、前面が前記前板で覆われた室内熱交換器と、前記吸入グリルより室内の空気を吸引し、前記室内熱交換器で熱交換された空気を前記吹出しグリルから吹き出すファンと、前記室内熱交換器からの凝縮水を受ける水受け皿を備えた床置型空気調和機において、前記前板と前記前面パネルとの間に、前記本体の運転を制御する電源板を設置して、前記電源板が前記風回路の影響を受けないようにしたもので、電源板が風回路の外に位置するので、風回路内で通風抵抗となっていた部分が無くなって、空気の流れがスムーズになり、風回路の性能を向上させると同時に、室内熱交換器から発生する凝縮水を受ける水受け皿から、凝縮水が漏れたりオーバーフローすることがあっても、その凝縮水が電源板内に入ることが無く、安全性も向上する。また、吸入グリルをはずすことなく電源板を引き出し修理等が行えるので、火災等とメンテナンス時の２重の安全性を向上させた床置形空気調和機を提供することができる。
【００１５】
第２の発明は、特に、第１の発明の前板の上部を、室内熱交換器と略平行となるように折り曲げて、前記室内熱交換器を通過した風を整流し、前記風が吹出しグリルより室内にスムーズに吹き出されるようにしたもので、風回路性能の向上及び結露防止が図れる。
【００１６】
以下、本発明の実施の形態について、図面を参照しながら説明する。なお、この実施の
形態によって本発明が限定されるものではない。
【００１７】
（実施の形態１）
図１は、本発明の第１の実施の形態における床置型空気調和機の本体の分解斜視図、図２は、同本体の断面図である。
【００１８】
図１、２において、１は、吹出しグリル、３は、吸入グリル、２は、吹出しグリル１と吸入グリル３との間に位置する前面パネルであり、この３点の部品によって本体２０の前面が構成されている。又本体２０の外郭２０ａは、側板５、６と、天板４と、前板７と、底板１５と、後板８から構成されており、この外郭２０ａ内部には、吹出しグリル１と吸入グリル３を連通する風回路２０ｂが配され、その風回路２０ｂ内に、モーター１０と、モーター１０で回転駆動されるファン１１と、エアガイダー９とオリフィス１２を配置し、前面パネル２の背後に位置する前板７の上に電源板１３が取り付けられて、全体が構成されている。１４は、同じく風回路２０ｂ内に配された室内熱交換器で、１６は、室内熱交換器１４から落下してくる凝縮水を受ける水受け皿である。
【００１９】
以上のように構成された本実施の形態における床置型空気調和機の動作、作用は以下の通りである。
【００２０】
本体２０の運転、例えば冷房運転を開始すると、モーター１０によりファン１１が回転し、室内の空気が吸入グリル３から流入し、エアガイダー９を通り、室内熱交換器１４に送られ、そこで冷やされ、吹出しグリル１から、冷たい空気が吹き出される。
【００２１】
上記のように、本実施の形態では、風回路２０ｂ外の前板７の上に電源板１３が取り付けられているので、風回路２０ｂの吸入部となる吸入グリル３とエアガイダー９の間に吸入抵抗となるものがなくなり、均一に室内空気を吸い込むことができるようになり、風回路２０ｂの性能を向上させることができると共に、均一に空気を吸い込むので騒音的にも有利な構成である。
【００２２】
また、前板７の前面に電源板１３が取り付けられているので、電源板１３の修理の際に、回転するファン１１を覆う吸入グリル３を開ける必要がなく、安全にメンテナンスが行える構造であると同時に、水受け皿１６から凝縮水が漏れたり、オーバーフローすることがあっても、その凝縮水が電源板１３内や、その近傍に侵入することがない、より安全な構造となっている。
【００２３】
又、前板７の上部にあたるＡ部は、室内熱交換器１４と略平行ぎみに折り曲げられた構造となっており、室内熱交換器１４を通過した風を、スムーズに吹出しグリル１に、導く役割を果たしている。このため風回路性能の向上が図れると共に、吹出しグリル１での結露防止になっている。
【産業上の利用可能性】
【００２４】
以上のように、本発明にかかる床置型空気調和機は、本体サイズを変更することなしに風回路の中に設置されていて吸入の吸い込み抵抗となっていた従来の電源板を水受け皿上部の前板に取り付ける構造としたことと前板自体に風のガイド構造を持たせて室内熱交換器後の風の流れをスムーズにすることで、吸入抵抗を減らし、風回路性能を向上させることができ、又吸入グリルを開けることなく電源板を修理等することができるもので、各種床置形空気調和機に広く適用できる。
【図面の簡単な説明】
【００２５】
【図１】本発明の第１の実施の形態における床置型空気調和機の本体の分解斜視図
【図２】同本体の断面図
【図３】従来の床置型空気調和機の本体の斜視図
【図４】同床置型空気調和機の本体の断面図
【符号の説明】
【００２６】
１      吹出しグリル
２      前面パネル
３      吸入グリル
４      天板
５、６  側板
７      前板
８      後板
１０    モーター
１１    ファン
１３    電源板
１５    底板
１６    水受け皿
２０    本体
２０ａ  外郭
２０ｂ  風回路
【図１】
2010091119.tif 000003
【図２】
2010091119.tif 000004
【図３】
2010091119.tif 000005
【図４】
2010091119.tif 000006